(57)【要約】【課題】ボンダー取付のためだけの専用部分を特別設ける必要が無く、ボンダー取付に際しても特別且つ煩雑な組み付け作業を必要とせず、そういったものでありながらコスト的にも品質的にも問題無い、ボンダー、該ボンダーを備えた電気接続箱、該ボンダーのコネクタへの取付構造、および該ボンダーの電気接続箱への取付方法を提供すること。【解決手段】ボンダー１０の電線接続部１２で一端部が接続された被覆電線のうち少なくとも１本がダミー電線Ｗ１ｄになっている。該ダミー電線Ｗ１ｄの他端部には端子１３が設けられている。該端子１３は、電気接続箱１００のコネクタ３０の端子収容室３２のうち空いているいずれかの端子収容室３２ａに収容され、該端子収容室３２ａに設けられた端子係止部３３，３４により係止される。【選択図】図２
2009054443.tif 000002
【特許請求の範囲】
【請求項１】
被覆電線の束の一端部の導体を互いに電気的に接続することにより形成された電線接続部と、前記電線接続部を覆うように前記被覆電線の束の一端部に被せられた絶縁保護部材と、を備えたボンダーであって、
前記電線接続部で接続された前記被覆電線のうち少なくとも１本がダミー電線であり、該ダミー電線の他端部には端子が設けられており、そして該端子が電気接続箱のコネクタの端子収容室内で係止可能であることを特徴とするボンダー。
【請求項２】
前記絶縁保護部材はその一端が開口する中空筒状部を有しており、
前記被覆電線の一端部がそれぞれ同じ方向に揃えられて束にされ且つ該一端部の導体が前記電線接続部を形成するように互いに接合された状態で、前記絶縁保護部材がその開口から前記被覆電線の一端部の絶縁被覆の部分まで覆うように被せられており、そして
前記ダミー電線が、前記絶縁保護部材から露出した所で該絶縁保護部材上に載るように折り返され且つ該ダミー電線の前記端子が前記絶縁保護部材の他端を越えて位置するように延長された状態で、前記絶縁保護部材の開口における前記被覆電線の束との隙間を塞ぐための粘着テープの巻き付けにより、前記絶縁保護部材と共に、前記被覆電線のうち前記ダミー電線以外の被覆電線に保持されていることを特徴とする請求項１に記載したボンダー。
【請求項３】
接続箱本体と、
前記接続箱本体に設けられたコネクタと、
前記コネクタに形成された複数の端子収容室と、
前記端子収容室それぞれに設けられた端子係止部と、
被覆電線の束の一端部の導体を互いに電気的に接続することにより形成された電線接続部と、前記電線接続部を覆うように前記被覆電線の束の一端部に被せられた絶縁保護部材と、を有するボンダーと、
を備えた電気接続箱であって、
前記電線接続部で接続された前記被覆電線のうち少なくとも１本がダミー電線であり、該ダミー電線の他端部には端子が設けられており、そして
前記端子が、前記端子収容室のいずれかに収容され且つ、該端子を収容した端子収容室に設けられた前記端子係止部により係止されていることを特徴とする電気接続箱。
【請求項４】
前記複数の端子収容室のうち前記端子を収容した端子収容室を除く他の端子収容室に、他の電線の端部に設けられた他の端子が収容され且つ端子係止部により係止されており、
前記ボンダー、および前記被覆電線のうち前記ダミー電線以外の被覆電線の少なくとも一方が、前記ダミー電線が弛むように、固定手段により前記他の電線に固定されていることを特徴とする請求項３に記載した電気接続箱。
【請求項５】
ハウジングと、前記ハウジングに形成された複数の端子収容室と、前記端子収容室それぞれに設けられた端子係止部と、を有するコネクタへの、
被覆電線の束の一端部の導体を互いに電気的に接続することにより形成された電線接続部と、前記電線接続部を覆うように前記被覆電線の束の一端部に被せられた絶縁保護部材と、を有するボンダーの、
取付構造であって、
前記電線接続部で接続された前記被覆電線のうち少なくとも１本がダミー電線であり、該ダミー電線の他端部には端子が設けられ、そして
前記端子が、前記端子収容室のいずれかに収容され且つ、該端子を収容した端子収容室に設けられた前記端子係止部により係止されることを特徴とする取付構造。
【請求項６】
接続箱本体と、前記接続箱本体に配置されるコネクタと、前記コネクタに形成された複数の端子収容室と、前記端子収容室それぞれに設けられた端子係止部と、を有する電気接続箱への、
被覆電線の束の一端部の導体を互いに電気的に接続することにより形成された電線接続部と、前記電線接続部を覆うように前記被覆電線の束の一端部に被せられた絶縁保護部材と、を有するボンダーの、
取付方法であって、
前記電線接続部で接続された前記被覆電線のうち少なくとも１本がダミー電線であり、該ダミー電線の他端部には端子が設けられており、
前記端子を、前記端子収容室のうち空いているいずれかに収容し、該端子を収容した端子収容室に設けられた前記端子係止部により係止することを特徴とする取付方法。
【請求項７】
前記複数の端子収容室のうち前記端子を収容した端子収容室を除く他の端子収容室に、他の電線の端部に設けられた他の端子が収容され且つ端子係止部により係止されており、
前記ダミー電線を弛ませた状態で、前記ボンダー、および前記被覆電線のうち前記ダミー電線以外の被覆電線の少なくとも一方を前記他の電線に固定手段により固定することを特徴とする請求項６に記載した取付方法。
【請求項８】
前記コネクタが、前記接続箱本体とは別体に形成され、該接続箱本体の係合孔に係合するものであり、
前記端子を、前記端子収容室のうち空いているいずれかに収容し、該端子を収容した端子収容室に設けられた前記端子係止部により係止した後、前記コネクタを前記接続箱本体の係合孔に係合することを特徴とする請求項６または請求項７に記載した取付方法。
【発明の詳細な説明】
【技術分野】
【０００１】
本発明は、ボンダー、該ボンダーを備えた電気接続箱、該ボンダーのコネクタへの取付構造、および該ボンダーの電気接続箱への取付方法に関する。
【背景技術】
【０００２】
自動車等の車両には多数のワイヤハーネスが使用されるが、それらワイヤハーネスの幾つかにボンダーが設けられる場合がある。このボンダーを簡潔に説明すると、被覆電線の束の一端部の導体を互いに電気的に接続することにより形成された電線接続部と、電線接続部を覆うように被覆電線の束の一端部に被せられた絶縁保護部材と、を備えたワイヤハーネスの部分である。
【０００３】
より詳細には、ボンダーは、それぞれ同じ方向に揃えられて束にされた複数の被覆電線の一端部で露出された導体を適宜な接合手段により互いに電気的に接続することにより形成された当該被覆電線の束の導体接続部（即ち、電線接続部）に、絶縁樹脂製チューブ、絶縁樹脂製キャップ、絶縁樹脂製カバー、等といった少なくとも一端が開口した中空筒状部を有する絶縁保護部材がその開口から被覆電線の電線接続部を収容および保護するように被せられた部分である。
【０００４】
尚、このように絶縁保護部材が取り付けられた電線の電線接続部のことを特に自動車関連業界では前述したとおり『ボンダー』と呼んだり（例えば、特許文献１等参照）、或いは『スプライス（スプライス部）』と呼んだりしている（例えば、特許文献２、３等参照）。
【０００５】
ボンダーは、例えば、リレー・ボックス、ヒューズ・ボックス、等といった電気接続箱（即ち、エレクトリック・ジャンクション・ブロック）内に固定されることが多い（例えば、特許文献４〜６等参照）。
【０００６】
特許文献４〜６に開示された電気接続箱いずれにも絶縁保護部材自体を収容したり固定するためだけの専用部分（換言すれば、専用スペース）が設けられており、即ち、このように特許文献４〜６で提案されたものは、前述の専用部分を要する電気接続箱でなければならない。これは、電気接続箱の大型化や電気接続箱の構造の複雑化が懸念されると共に、前述の専用部分へのボンダーの挿し込み等といった特別且つ煩雑な組み付け作業を必要とする。その上、絶縁保護部材が一般に比較的軟らかい材料で形成されているため、取付構造による所望の保持力を得にくい。
【０００７】
【特許文献１】特開２００７−６６６６２号公報
【特許文献２】特開平１１−８９０５６号公報
【特許文献３】特開平９−２０５７１９号公報
【特許文献４】特開平１０−３０４５３７号公報
【特許文献５】特開平１１−２５２７４７号公報
【特許文献６】特開２００４−８８９４６号公報
【発明の開示】
【発明が解決しようとする課題】
【０００８】
本発明は、上述した事情に鑑みてなされたものであり、その目的は、ボンダー取付のためだけの専用部分を特別設ける必要が無く、ボンダー取付に際しても特別且つ煩雑な組み付け作業を必要とせず、そういったものでありながらコスト的にも品質的にも問題無い、ボンダー、該ボンダーを備えた電気接続箱、該ボンダーのコネクタへの取付構造、および該ボンダーの電気接続箱への取付方法を提供することにある。
【課題を解決するための手段】
【０００９】
前述した目的を達成するために、本発明に係るボンダーは、下記（１）および（２）を特徴としている。
（１）  被覆電線の束の一端部の導体を互いに電気的に接続することにより形成された電線接続部と、前記電線接続部を覆うように前記被覆電線の束の一端部に被せられた絶縁保護部材と、を備えたボンダーであって、
前記電線接続部で接続された前記被覆電線のうち少なくとも１本がダミー電線であり、該ダミー電線の他端部には端子が設けられており、そして該端子が電気接続箱のコネクタの端子収容室内で係止可能であること。
（２）  上記（１）の構成のボンダーにおいて、
前記絶縁保護部材はその一端が開口する中空筒状部を有しており、
前記被覆電線の一端部がそれぞれ同じ方向に揃えられて束にされ且つ該一端部の導体が前記電線接続部を形成するように互いに接合された状態で、前記絶縁保護部材がその開口から前記被覆電線の一端部の絶縁被覆の部分まで覆うように被せられており、そして
前記ダミー電線が、前記絶縁保護部材から露出した所で該絶縁保護部材上に載るように折り返され且つ該ダミー電線の前記端子が前記絶縁保護部材の他端を越えて位置するように延長された状態で、前記絶縁保護部材の開口における前記被覆電線の束との隙間を塞ぐための粘着テープの巻き付けにより、前記絶縁保護部材と共に、前記被覆電線のうち前記ダミー電線以外の被覆電線に保持されていること。
【００１０】
上記（１）の構成のボンダーでは、該ボンダーの電線接続部で一端部が接続された複数の被覆電線のうち少なくとも１本がダミー電線であり、該ダミー電線の他端部には端子が設けられており、そして該端子が電気接続箱のコネクタの端子収容室内で係止可能であるので、ダミー電線の端子をコネクタの端子収容室に係止するといった従来の端子付き電線の挿入作業と変わらない作業でボンダーをコネクタに取り付けることができる。尚、このコネクタは、電気接続箱の接続箱本体に一体成形されたものであっても、該接続箱本体とは別体に形成された後、例えば当該接続箱本体に一体成形された電気接続相手となる相手方コネクタの嵌合孔等といった係合孔に係合するものであってもよい。ところで、コネクタの端子収容室には空いている端子収容室（即ち、使用する予定のない予備の端子収容室）が一般にある。そこで、上記（１）の構成のボンダーは、そのような空いている端子収容室に端子を挿入および係止して取り付けることを想定して、創案されている。従って、上記（１）の構成のボンダーによれば、ボンダー取付のためだけの専用部分を特別設ける必要が無く、ボンダー取付に際しても特別且つ煩雑な組み付け作業を必要とせず、そういったボンダーでありながらコスト的にも品質的にも問題無い。
上記（２）の構成のボンダーでは、被覆電線の一端部がそれぞれ同じ方向に揃えられて束にされ且つ該一端部の導体が電線接続部を形成するように互いに接合された状態で、絶縁保護部材がその開口から被覆電線の一端部の絶縁被覆の部分まで覆うように被せられており、そしてダミー電線が、絶縁保護部材から露出した所で該絶縁保護部材上に載るように折り返され且つ該ダミー電線の端子が絶縁保護部材の他端を越えて位置するように延長された状態で、絶縁保護部材の開口における被覆電線の束との隙間を塞ぐための粘着テープの巻き付けにより、絶縁保護部材と共に、被覆電線のうちダミー電線以外の被覆電線に保持されているので、防水のための粘着テープの巻き付けと同時にダミー電線の補強も行なわれるので、当該補強が容易である。
【００１１】
また、上述した目的を達成するために、本発明に係る電気接続箱は、下記（３）および（４）を特徴としている。
（３）  接続箱本体と、
前記接続箱本体に設けられたコネクタと、
前記コネクタに形成された複数の端子収容室と、
前記端子収容室それぞれに設けられた端子係止部と、
被覆電線の束の一端部の導体を互いに電気的に接続することにより形成された電線接続部と、前記電線接続部を覆うように前記被覆電線の束の一端部に被せられた絶縁保護部材と、を有するボンダーと、
を備えた電気接続箱であって、
前記電線接続部で接続された前記被覆電線のうち少なくとも１本がダミー電線であり、該ダミー電線の他端部には端子が設けられており、そして
前記端子が、前記端子収容室のいずれかに収容され且つ、該端子を収容した端子収容室に設けられた前記端子係止部により係止されていること。
（４）  上記（３）の構成の電気接続箱において、
前記複数の端子収容室のうち前記端子を収容した端子収容室を除く他の端子収容室に、他の電線の端部に設けられた他の端子が収容され且つ端子係止部により係止されており、
前記ボンダー、および前記被覆電線のうち前記ダミー電線以外の被覆電線の少なくとも一方が、前記ダミー電線が弛むように、固定手段により前記他の電線に固定されていること。
【００１２】
上記（３）の構成の電気接続箱では、ボンダーの電線接続部で一端部が接続された複数の被覆電線のうち少なくとも１本がダミー電線であり、該ダミー電線の他端部には端子が設けられており、そして該端子が、端子収容室のいずれかに収容され且つ、該端子を収容した端子収容室に設けられた端子係止部により係止されるので、ダミー電線の端子をコネクタの端子収容室に係止するといった従来の端子付き電線の挿入作業と変わらない作業でボンダーをコネクタに取り付けることができる。尚、このコネクタは、電気接続箱の接続箱本体に一体成形されたものであっても、該接続箱本体とは別体に形成された後、例えば当該接続箱本体に一体成形された電気接続相手となる相手方コネクタの嵌合孔等といった係合孔に係合するものであってもよい。ところで、コネクタの端子収容室には空いている端子収容室（即ち、使用する予定のない予備の端子収容室）が一般にある。そこで、上記（３）の構成の電気接続箱は、そのような空いている端子収容室に端子を挿入および係止して取り付けることを想定して、創案されている。従って、上記（３）の構成の電気接続箱によれば、ボンダー取付のためだけの専用部分を特別設ける必要が無く、ボンダー取付に際しても特別且つ煩雑な組み付け作業を必要とせず、そういった電気接続箱でありながらコスト的にも品質的にも問題無い。
上記（４）の構成の電気接続箱では、複数の端子収容室のうち端子を収容した端子収容室を除く他の端子収容室に、他の電線の端部に設けられた他の端子が収容され且つ端子係止部により係止されており、ボンダー、および被覆電線のうちダミー電線以外の被覆電線の少なくとも一方が、ダミー電線が弛むように、固定手段により他の電線に固定されているので、例えば、粘着テープの巻き付け、結束バンド、等の固定手段を用いて電線を束ねるといった従来の電線結束作業と変わらない作業で、ダミー電線を弛ませながらボンダーを安定した状態に保持することができる。従って、上記（４）の構成の電気接続箱によれば、ボンダーのダミー電線の端子や該端子を係止する端子収容室の端子係止部への直接的負荷を軽減できるだけでなく、ボンダーの向きも規制することができる。
【００１３】
また、上述した目的を達成するために、本発明に係るボンダーのコネクタへの取付構造は、下記（５）を特徴としている。
（５）  ハウジングと、前記ハウジングに形成された複数の端子収容室と、前記端子収容室それぞれに設けられた端子係止部と、を有するコネクタへの、
被覆電線の束の一端部の導体を互いに電気的に接続することにより形成された電線接続部と、前記電線接続部を覆うように前記被覆電線の束の一端部に被せられた絶縁保護部材と、を有するボンダーの、
取付構造であって、
前記電線接続部で接続された前記被覆電線のうち少なくとも１本がダミー電線であり、該ダミー電線の他端部には端子が設けられ、そして
前記端子が、前記端子収容室のいずれかに収容され且つ、該端子を収容した端子収容室に設けられた前記端子係止部により係止されること。
【００１４】
上記（５）の構成の取付構造では、ボンダーの電線接続部で一端部が接続された複数の被覆電線のうち少なくとも１本がダミー電線であり、該ダミー電線の他端部には端子が設けられており、そして該端子が、端子収容室のいずれかに収容され且つ、該端子を収容した端子収容室に設けられた端子係止部により係止されるので、ダミー電線の端子をコネクタの端子収容室に係止するといった従来の端子付き電線の挿入作業と変わらない作業でボンダーをコネクタに取り付けることができる。尚、このコネクタを例えば、電気接続箱の接続箱本体に一体成形されたものとしたり、或いは該接続箱本体とは別体に形成後、例えば当該接続箱本体に一体成形された電気接続相手となる相手方コネクタの嵌合孔等といった係合孔に係合するものとして構成してもよい。ところで、コネクタの端子収容室には空いている端子収容室（即ち、使用する予定のない予備の端子収容室）が一般にある。そこで、上記（５）の構成の取付構造は、そのような空いている端子収容室に端子を挿入および係止して取り付けることを想定して、創案されている。従って、上記（５）の構成の取付構造によれば、ボンダー取付のためだけの専用部分を特別設ける必要が無く、ボンダー取付に際しても特別且つ煩雑な組み付け作業を必要とせず、そういった取付構造でありながらコスト的にも品質的にも問題無い。
【００１５】
また、上述した目的を達成するために、本発明に係るボンダーの電気接続箱への取付方法は、下記（６）〜（８）を特徴としている。
（６）  接続箱本体と、前記接続箱本体に配置されるコネクタと、前記コネクタに形成された複数の端子収容室と、前記端子収容室それぞれに設けられた端子係止部と、を有する電気接続箱への、
被覆電線の束の一端部の導体を互いに電気的に接続することにより形成された電線接続部と、前記電線接続部を覆うように前記被覆電線の束の一端部に被せられた絶縁保護部材と、を有するボンダーの、
取付方法であって、
前記電線接続部で接続された前記被覆電線のうち少なくとも１本がダミー電線であり、該ダミー電線の他端部には端子が設けられており、
前記端子を、前記端子収容室のうち空いているいずれかに収容し、該端子を収容した端子収容室に設けられた前記端子係止部により係止すること。
（７）  上記（６）の取付方法において、
前記複数の端子収容室のうち前記端子を収容した端子収容室を除く他の端子収容室に、他の電線の端部に設けられた他の端子が収容され且つ端子係止部により係止されており、
前記ダミー電線を弛ませた状態で、前記ボンダー、および前記被覆電線のうち前記ダミー電線以外の被覆電線の少なくとも一方を前記他の電線に固定手段により固定すること。
（８）  上記（６）または（７）の取付方法において、
前記コネクタが、前記接続箱本体とは別体に形成され、該接続箱本体の係合孔に係合するものであり、
前記端子を、前記端子収容室のうち空いているいずれかに収容し、該端子を収容した端子収容室に設けられた前記端子係止部により係止した後、前記コネクタを前記接続箱本体の係合孔に係合すること。
【００１６】
上記（６）の取付方法では、ボンダーの電線接続部で一端部が接続された複数の被覆電線のうち少なくとも１本がダミー電線であり、該ダミー電線の他端部には端子が設けられており、該端子を、前記端子収容室のうち空いているいずれかに収容し、該端子を収容した端子収容室に設けられた前記端子係止部により係止するので、ダミー電線の端子をコネクタの端子収容室に係止するといった従来の端子付き電線の挿入作業と変わらない作業でボンダーをコネクタに取り付けることができる。尚、このコネクタは、電気接続箱の接続箱本体に一体成形されたものであっても、該接続箱本体とは別体に形成された後、例えば当該接続箱本体に一体成形された電気接続相手となる相手方コネクタの嵌合孔等といった係合孔に係合するものであってもよい。ところで、コネクタの端子収容室には空いている端子収容室（即ち、使用する予定のない予備の端子収容室）が一般にある。そこで、上記（６）の取付方法は、そのような空いている端子収容室に端子を挿入および係止して取り付けることを想定して、創案されている。従って、上記（６）の取付方法によれば、ボンダー取付のためだけの専用部分を特別設ける必要が無く、ボンダー取付に際しても特別且つ煩雑な組み付け作業を必要とせず、そういった取付方法でありながらコスト的にも品質的にも問題無い。
上記（７）の取付方法では、複数の端子収容室のうち端子を収容した端子収容室を除く他の端子収容室に、他の電線の端部に設けられた他の端子が収容され且つ端子係止部により係止されており、ダミー電線を弛ませた状態で、ボンダー、および被覆電線のうちダミー電線以外の被覆電線の少なくとも一方を他の電線に固定手段により固定するので、例えば、粘着テープの巻き付け、結束バンド、等の固定手段を用いて電線を束ねるといった従来の電線結束作業と変わらない作業で、ダミー電線を弛ませながらボンダーを安定した状態に保持することができる。従って、上記（７）の取付方法によれば、ボンダーのダミー電線の端子や該端子を係止する端子収容室の端子係止部への直接的負荷を軽減できるだけでなく、ボンダーの向きも規制することができる。
上記（８）の取付方法では、コネクタとして、接続箱本体とは別体に形成され、該接続箱本体の係合孔に係合するものを用い、端子を、端子収容室のうち空いているいずれかに収容し、該端子を収容した端子収容室に設けられた端子係止部により係止した後、コネクタを接続箱本体の係合孔に係合する。それ故、上記（８）の取付方法によれば、接続箱本体よりも遥かに小さいコネクタ単体への端子の挿入作業後に該コネクタを接続箱本体に係合させればよく、よってボンダーの電気接続箱への取り付けに係る作業性が向上する。
【発明の効果】
【００１７】
本発明によれば、ボンダー取付のためだけの専用部分を特別設ける必要が無く、ボンダー取付に際しても特別且つ煩雑な組み付け作業を必要とせず、そういったものでありながらコスト的にも品質的にも問題無い、ボンダー、該ボンダーを備えた電気接続箱、該ボンダーのコネクタへの取付構造、および該ボンダーの電気接続箱への取付方法を提供できる。従って、本発明によれば、ボンダー取付のためだけの専用部分を特別設ける必要が無い分、省資源化を図ることができる。
【００１８】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１９】
以下、本発明に係る好適な実施形態を図面に基づいて詳細に説明する。
【００２０】
図１（ａ）〜（ｃ）は本発明に係るボンダー、および該ボンダーのコネクタへの取付構造（取付方法）の実施形態の要部斜視図、そして図２は本発明に係るボンダーの電気接続箱への取付方法を説明するための図であって、ボンダーを備えた電気接続箱の要部断面図である。
【００２１】
図１（ａ）に示されるように、ボンダー１０は、被覆電線Ｗ１の束の一端部の導体を互いに電気的に接続することにより形成された電線接続部１２と、電線接続部１２を覆うように被覆電線Ｗ１の束の一端部に被せられた絶縁樹脂製のキャップ（即ち、絶縁保護部材）１４と、を備える。
【００２２】
キャップ１４は一端が開口する中空筒状の本体（中空筒状部）１５を有している。この本体１５には周知の舌片１５ａが一体形成されている。被覆電線Ｗ１の一端部はそれぞれ同じ方向に揃えられて束にされ且つ該一端部の導体が電線接続部１２を形成するように互いに接合された状態で、キャップ１４がその開口から被覆電線Ｗ１の一端部の絶縁被覆１１の部分まで覆うように被せられている。
【００２３】
電線接続部１２で接続された被覆電線Ｗ１のうち１本がダミー電線Ｗ１ｄである。該ダミー電線Ｗ１ｄの他端部には雌型の端子１３が電気的に接続するように固定されている。尚、一つのボンダー１０に対し、ボンダー支持強度を高めるべく２本以上のダミー電線Ｗ１ｄを設けてもよい。
【００２４】
図１（ａ）および（ｂ）に示されるように、ダミー電線Ｗ１ｄは、キャップ１４から露出した所で該キャップ１４上に載るように折り返され且つ該ダミー電線Ｗ１ｄの端子１３がキャップ１４の他端を越えて位置するように延長された状態で、キャップ１４の開口における被覆電線Ｗ１の束との隙間を塞ぐための粘着テープＴの巻き付けにより、キャップ１４と共に、被覆電線Ｗ１のうちダミー電線Ｗ１ｄ以外の被覆電線Ｗ１に保持されている。その際の舌片１５ａへの粘着テープＴの巻き付けにより、キャップ１４の被覆電線Ｗ１からの抜け落ちが確実に防止される。
【００２５】
尚、図１（ｃ）に変形例が示されている。即ち、この変形例は、上述したボンダー１０に他のボンダー２つを束ねて粘着テープＴの巻き付けにより形成されたボンダー２０である。このように、複数のボンダーを束ねることも可能である。
【００２６】
図２も参照して、コネクタ３０は、ハウジング３１と、ハウジング３１内に形成された複数の端子収容室３２と、端子収容室３２それぞれに片持ち状に形成された端子係止片（即ち、端子係止部）３３と、端子収容室３２のうちの幾つかの端子収容室３２に挿入され、端子係止片３３の係止突起３４により係止され且つ他の被覆電線Ｗ２の一端部にそれぞれ電気的に接続された他の端子１３と、コネクタ３０の電気接続相手となる相手方コネクタ４０と嵌合可能なハウジング３１内に形成された嵌合孔３７と、該嵌合孔３７と端子収容室３２との間を仕切るようにハウジング３１内に形成された仕切壁３８と、相手方コネクタ４０の雄型の端子４３の進入を許容して端子１３と接触させるための端子挿通孔３９と、ハウジング３１の外面に片持ち状に形成されたコネクタ係止片（コネクタ係止部）３５と、を有する。ダミー電線Ｗ１ｄの端子１３は、コネクタ３０の端子収容室３２のうち空いている端子収容室３２（即ち、使用する予定のない予備の端子収容室３２ａ）に挿入され、端子係止片３３の係止突起３４により係止される。尚、ボンダー１０を有する被覆電線Ｗ１の束と他の被覆電線Ｗ２の束とは一つのワイヤハーネスＷＨを形成している。
【００２７】
電気接続箱１００は、接続箱本体５１と、接続箱本体５１の係合孔５２に係合する上述のコネクタ３０と、を備える。コネクタ３０は、係合孔５２に図２中で下から上へ向けて装着されるが、その際、ハウジング３１の両側面のコネクタ係止片３５，３５の係合孔３６，３６それぞれに、係合孔５２を画成する接続箱本体５１の内面に形成された係合突起５３，５３が係合する。
【００２８】
このように構成された取付構造では、ダミー電線Ｗ１ｄの端子１３をコネクタ３０の端子収容室３２ａに係止するといった従来の端子１３付き電線の挿入作業と変わらない作業でボンダー１０をコネクタ３０（即ち、電気接続箱１００）に取り付けることができるので、ボンダー取付のためだけの専用部分を特別設ける必要が無く、ボンダー取付に際しても特別且つ煩雑な組み付け作業を必要とせず、そういった取付構造でありながらコスト的にも品質的にも問題無い。従って、ボンダー取付のためだけの専用部分を特別設ける必要が無い分、省資源化を図ることができる。
【００２９】
また、このように構成された取付構造では、接続箱本体５１よりも遥かに小さいコネクタ３０単体への端子１３の挿入作業後に該コネクタ３０を接続箱本体５１に係合させればよい。従って、ボンダー１０の電気接続箱１００への取り付けに係る作業性が向上している。
【００３０】
尚、上記構成のボンダー１０によれば、防水のための粘着テープＴの巻き付けと同時にダミー電線Ｗ１ｄの補強も行なわれるので、当該補強が容易である。
【００３１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３２】
例えば、相手方コネクタ４０はコネクタ３０と差込接続する所謂差込接続器であるので、相手方コネクタ４０には例えばリレー等の電気部品も含まれることは言うまでも無い。
【００３３】
例えば、コネクタ３０は、電気接続箱１００の接続箱本体５１に一体成形されたものであってもよい。また、コネクタ３０は、上述したように接続箱本体５１とは別体に形成されたものであってもよいが、例えば接続箱本体５１に相手方コネクタ４０を一体成形し、該相手方コネクタ４０の嵌合孔（即ち、係合孔）に嵌合（即ち、係合）するものとしてもよい。
【００３４】
尚、複数の端子収容室３２のうちダミー電線Ｗ１ｄの端子１３を収容した端子収容室３２ａを除く他の端子収容室３２に、他の電線Ｗ２の端部に設けられた他の端子１３が収容され且つ端子係止片３３により係止されているが、ダミー電線Ｗ１ｄを弛ませた状態で、被覆電線Ｗ１のうちダミー電線Ｗ１ｄ以外の被覆電線Ｗ１、およびボンダー１０の少なくとも一方を他の電線Ｗ２に例えば、粘着テープＴの巻き付け、結束バンド、等の固定手段により固定すると好ましい。こういった取付構造を採ると、固定手段を用いて電線を束ねるといった従来の電線結束作業と変わらない作業で、ダミー電線Ｗ１ｄを弛ませながらボンダー１０を安定した状態に保持することができるので、ボンダー１０のダミー電線Ｗ１ｄの端子１３や該端子１３を係止する端子収容室３２の端子係止片３３への直接的負荷を軽減できるだけでなく、ボンダー１０の向きも規制することができる。
【図面の簡単な説明】
【００３５】
【図１】本発明に係るボンダー、および該ボンダーのコネクタへの取付構造の実施形態の要部斜視図である（尚、部分的には透視図となっている）。
【図２】本発明に係るボンダーの電気接続箱への取付方法を説明するための図であって、ボンダーを備えた電気接続箱の要部断面図である（尚、部分的には透視図となっている）。
【符号の説明】
【００３６】
Ｗ１ｄ：ダミー電線
１０：ボンダー
１２：電線接続部
１３：端子
３０：コネクタ
３２，３２ａ：端子収容室
１００：電気接続箱
【図１】
2009054443.tif 000003
【図２】
2009054443.tif 000004